(57)【要約】【課題】外気導入用の開閉弁の振動が少なく、低騒音で信頼性の高い空気調和装置を提供する。【解決手段】所定のガス成分の濃度を高めるガス富化ユニット（図示せず）と、前記ガス富化ユニットの前後に差圧を発生させる送出ポンプ（図示せず）とを通気可能に連結する供給管３と、前記供給管３に連通すると共に開閉弁５を介装し外気を直接導入する外気導入管４を備え、前記開閉弁５を防音板７に断面略コの字状の固定具８を介して取り付けたもので、前記固定具８で開閉弁５に伝達される振動を低減し、開閉弁５の信頼性を高め、且つ低騒音の空気調和装置を提供することができる。【選択図】図１ 
2005207678.tif 000002
【特許請求の範囲】
【請求項１】
所定のガス成分の濃度を高めるガス富化ユニットと、前記ガス富化ユニットの前後に差圧を発生させる送出ポンプと、前記ガス富化ユニットと前記送出ポンプとを通気可能に連結する供給管と、前記供給管に連通すると共に開閉弁を介装し外気を直接導入する外気導入管を備え、前記開閉弁を筐体内の壁面に断面略コの字状の固定具を介して取り付けたことを特徴とする空気調和装置。
【請求項２】
固定具と開閉弁との間に弾性体を介装したことを特徴とする請求項１記載の空気調和装置。
【発明の詳細な説明】
【技術分野】
【０００１】
本発明は、所定のガス成分の濃度を高める機能を備えた空気調和装置に関するものである。
【背景技術】
【０００２】
従来の、所定のガス成分濃度を高める機能を備えた空気調和装置について、図３、４を用いて説明する。
【０００３】
図において、空気調和装置は室内機１１と室外機１２より構成され、冷媒ガスが循環するように接続配管（図示せず）で接続されている。室外機１２の筐体１２ａ内には、圧縮機１４を内蔵した圧縮機室１６と、熱交換器１７とファン１３を内蔵した送風機室１５が配され、圧縮機室１６と送風機室１５とは、防音板７で仕切られている。
【０００４】
１は、防音板７の送風機室１５側に設けられ所定のガス濃度を相対的に高めるガス富化ユニットで、圧縮機室１６の上方には、ガス富化ユニット１の前後に差圧を発生させる送出ポンプ２と、送出ポンプ２を制御する制御装置６が配され、ガス富化ユニット１と送出ポンプ２とは供給管３で通気可能に連結されている。１８は、送出ポンプ２の排出側と、室内機１１に内蔵されガス富化空気を吐出する吐出口１９とを連結する送出管である。
【０００５】
一方、ガス富化ユニット１は、例えば空気成分の大半を占める窒素と分離させ選択的に酸素を透過させる酸素富化膜の場合は、酸素と同時に少なくとも空気中の水分も透過させる特徴を持っている。そのため、酸素富化空気が流れる通路内で結露水が発生し、気温が低い場合その結露水が凍結し、詰まるという問題があった（例えば、特許文献１参照）。
【０００６】
その問題を解決するために、供給管３の途中から分岐させて、即ちガス富化ユニット１の下流側に外気取り入れ用の外気導入管４を設け、その外気導入管４の途中に通常のガス富化運転時に閉じられている電磁二方弁などからなる開閉弁５を設けている。
【０００７】
図４は、開閉弁５の取り付け例を示すもので、防音板７の圧縮機室１６側にネジ５ａなどで固定されている。
【０００８】
上記従来の空気調和装置の冷凍サイクルの構成及び動作については従来の一般的なものと同一なので説明を省略し、以下にガス富化運転についてのみ述べる。
【０００９】
通常のガス富化運転は、送出ポンプ２を運転することで、ガス富化ユニット１の前後に差圧即ち下流側に負圧が作用しそれにより、外気の一部がガス富化ユニット１内に吸引され、そこで所定のガス例えば酸素の濃度が高められ、その酸素濃度が高められた空気が送出ポンプ２、送出管１８を経て、吐出口１９より吐出され、室内機１１に内蔵されたファン（図示せず）による風に混じって室内に吹き出される。
【００１０】
外気温度が低下してくると、室外機１２に接続された送出管１８内の結露水が凍結し、空気通路が塞がるおそれがあるので、適宜、開閉弁５を開いて、送出ポンプ２を運転する。この場合は、外気は、通気抵抗のあるガス富化ユニット１を通らず、外気導入管４の先端の外気導入口１０より直接かつ勢い良く流入し、結露水が送出管１８を経て排出される。
【特許文献１】特開平５−１１３２２７号公報
【発明の開示】
【発明が解決しようとする課題】
【００１１】
しかしながら、上記従来の空気調和機では、防音板７は、圧縮機１４、送出ポンプ２、ファン１５の振動、ファン１５からの風圧による振動を受け易いため、防音板７に取付けられている開閉弁５もその防音板７の共振により振動音が発生したり、最悪の場合、開閉弁５内部の部品も振動することで異音が発生したり、部品寿命が短くなるという課題があった。
【００１２】
本発明は、上記課題を解決するもので、開閉弁に加わる振動を抑制し、低騒音で、信頼性の高い空気調和装置を提供する事を目的とする。
【課題を解決するための手段】
【００１３】
前記従来の課題を解決するために、本発明の空気調和装置は、所定のガス成分の濃度を高めるガス富化ユニットと、前記ガス富化ユニットの前後に差圧を発生させる送出ポンプと、前記ガス富化ユニットと前記送出ポンプとを通気可能に連結する供給管と、前記供給管に連通すると共に開閉弁を介装し外気を直接導入する外気導入管を備え、前記開閉弁を筐体内の壁面に断面略コの字状の固定具を介して取り付けたもので、前記固定具で開閉弁に伝達される振動を低減し、開閉弁の信頼性を高め、且つ低騒音の空気調和装置を提供することができる。
【発明の効果】
【００１４】
本発明の空気調和装置は、外気導入の開閉弁の振動を低減し、異音などの音の発生を防ぎ、部品としての信頼性を向上させるとともに、低騒音の空気調和装置を提供することができる。
【発明を実施するための最良の形態】
【００１５】
第１の発明は、所定のガス成分の濃度を高めるガス富化ユニットと、前記ガス富化ユニットの前後に差圧を発生させる送出ポンプと、前記ガス富化ユニットと前記送出ポンプとを通気可能に連結する供給管と、前記供給管に連通すると共に開閉弁を介装し外気を直接導入する外気導入管を備え、前記開閉弁を筐体内の壁面に断面略コの字状の固定具を介して取り付けたもので、前記固定具で開閉弁に伝達される振動を低減し、開閉弁の信頼性を高め、且つ低騒音の空気調和装置を提供することができる。
【００１６】
第２の発明は、特に、第１の発明の固定具と開閉弁との間に弾性体を介装したもので、開閉弁に伝達される振動を大幅に低減し、開閉弁の信頼性をより向上させた空気調和装置を提供することができる。
【００１７】
以下、本発明の実施の形態について、図面を参照しながら説明する。なお、この実施の形態によって本発明が限定されるものではない。
【００１８】
（実施の形態１）
図１（ａ）は、本発明の第１の実施の形態における空気調和装置に組み込まれた開閉弁の取り付け部の正面図で、（ｂ）は、同取り付け部の側面図である。なお、従来例と同一部分については同一符号を付してその説明を省略する。
【００１９】
本実施の形態では、図１に示すように、一側が室外機１２の筐体１２ａ内の壁面の１つである防音板７に固着された断面略コの字状の固定具８の他側に開閉弁５をネジ５ａなどで取り付けたものである。この構成により、固定具８により振動が減衰されるので、圧縮機１４、送出ポンプ２、ファン１５の振動、ファン１５の風圧による振動、共振周波数が避けられ、開閉弁５の振動音、異音を防止できるとともに、開閉弁５の信頼性を向上させ
ることができる。
【００２０】
また、図２に示すように、固定具８と開閉弁５の間に弾性材料からなる弾性体９を介装させて、開閉弁５を防音板７に取り付けるようにすれば、圧縮機１４、送出ポンプ２、ファン１５の振動、ファン１５の風圧による振動は、略コの字状の固定具８と弾性体９でさらに減衰され、開閉弁５の振動音、異音を効果的に防止することができる。
【００２１】
なお、上記実施の形態では、開閉弁５を防音板７に取り付けたが、筐体１２ａ内の他の壁面に開閉弁５を上記固定具８、弾性体９を介して取り付けても同様の効果が得られることは言うまでも無い。
【産業上の利用可能性】
【００２２】
以上のように、本発明にかかる空気調和装置は、外気導入用の開閉弁に加わる振動を大幅に低減できるので、開閉弁の信頼性を向上し、低騒音の空気調和装置を供給することが可能となり、ガス富化装置を搭載した空気調和装置、車両用空気調和装置、一体形空気調和装置、空気清浄機等はもとより、医療用酸素富化装置、携帯用酸素富化装置、燃焼機器用酸素富化装置、浴室型酸素富化装置や、冷蔵庫など鮮度保持に用いる窒素富化装置などにも適用できるものである。
【図面の簡単な説明】
【００２３】
【図１】（ａ）本発明の第１の実施の形態における空気調和装置に組み込まれた開閉弁の取り付け部の正面図、（ｂ）同取り付け部の側面図
【図２】（ａ）他の例を示す開閉弁の取り付け部の正面図、（ｂ）同取り付け部の側面図
【図３】従来の空気調和装置の構成概念図
【図４】（ａ）同空気調和装置に組み込まれた開閉弁の取り付け部の正面図、（ｂ）同取り付け部の側面図
【符号の説明】
【００２４】
１    ガス富化ユニット
２    送出ポンプ
３    供給管
４    外気導入管
５    開閉弁
７    防音板（壁面）
８    固定具
９    弾性体
１０    外気導入口
１１    室内機
１２    室外機
１２ａ  筐体
１３    ファン
１４    圧縮機
１５    送風機室
１６    圧縮機室
１７    熱交換器
【図１】
2005207678.tif 000003
【図２】
2005207678.tif 000004
【図３】
2005207678.tif 000005
【図４】
2005207678.tif 000006